(57)【要約】【課題】角パイプ材の断面形状が異なっても少なくとも本体ブロックを共通にすることができる継手ユニットおよび収納棚を提供する。【解決手段】角パイプ材２を支持する継手ブロック１１と、上記継手ブロック１１が装着される装着面１２０、１２１を有する本体ブロック１２とを備えており、上記本体ブロック１２の大装着面１２０に上記継手ブロック１１を固定するための螺子３が挿入される固定用穴１２ａが２個形成されており、上記固定用穴１２ａが２個形成された大装着面１２０に、１つの継手ブロック１１を装着することと２個の継手ブロック１１を装着することとが選択的に行えるようにした。【選択図】図１
2016205407.tif 000002
【特許請求の範囲】
【請求項１】
筒部材を支持する継手ブロックと、この継手ブロックが固定される複数の装着面を有する本体ブロックとを備えており、上記本体ブロックの少なくとも1つの装着面には、上記継手ブロックを固定する固定部材のための固定用穴が複数形成されており、上記固定用穴が複数形成された装着面に１つの継手ブロックを装着することと複数の継手ブロックまたは複数の継手ブロックに相当する１つの一体型継手ブロックを装着することとが選択的に行えるようにしたことを特徴とする継手ユニット。
【請求項２】
請求項１に記載の継手ユニットにおいて、上記本体ブロックは、上記継手ブロックを２個装着できるように上記固定用穴が２箇所に形成された長方形状の大装着面と、上記大装着面の略半分の大きさを有する略正方形状の小装着面とからなる直方体形状を有することを特徴とする継手ユニット。
【請求項３】
高さ方向、幅方向および奥行き方向に配置される複数の筒部材と、これら筒部材を連結する請求項２に記載の継手ユニットとを備えた収納棚であって、上記本体ブロックは上記長方形状の大装着面の長手方向を奥行き方向に向けて配置されており、前面側で幅方向に離間して配置された対をなす継手ユニットの本体ブロックの互いに向き合う大装着面には、奥側にそれぞれ１個の継手ブロックが設けられて前面側に凹空間が形成されることを特徴とする収納棚。
【請求項４】
高さ方向、幅方向および奥行き方向に配置される複数の筒部材と、これら筒部材を連結する請求項２に記載の継手ユニットとを備えた収納棚であって、上記本体ブロックは上記長方形状の大装着面の長手方向を奥行き方向に向けて配置されており、奥側で幅方向に離間して配置された対をなす継手ユニットの本体ブロックの互いに向き合う大装着面には、前面側にそれぞれ１個の継手ブロックが設けられて奥側に凹空間が形成されることを特徴とする収納棚。
【請求項５】
請求項１に記載の継手ユニットにおいて、上記本体ブロックは、上記継手ブロックを縦横に２個ずつ合計４個装着できるように上記固定用穴が４個形成された略正方形状の大装着面と、上記大装着面の略半分の大きさを有する長方形状の小装着面とからなる直方体形状を有することを特徴とする継手ユニット。
【請求項６】
高さ方向、幅方向および奥行き方向に配置される複数の筒部材と、これら筒部材を連結する請求項５に記載の継手ユニットとを備えた収納棚であって、上記本体ブロックは上記略正方形状の大装着面を幅方向に向けて配置されており、奥側で幅方向に離間して配置された対をなす継手ユニットの本体ブロックの互いに向き合う略正方形状の大装着面にそれぞれ３個の継手ブロックがＬ字状に配置されるか、或いは３個分の継手ブロックに相当するＬ字状の１つの一体型継手ブロックが配置され、断面Ｌ字状の筒部材が設けられることを特徴とする収納棚。
【請求項７】
請求項６に記載の収納棚において、上記断面Ｌ字状の筒部材で奥側の凹空間が隠されることを特徴とする収納棚。
【請求項８】
請求項６に記載の収納棚において、上記断面Ｌ字状の筒部材で前面側に上方に突出する部位が形成されることを特徴とする収納棚。
【発明の詳細な説明】
【技術分野】
【０００１】
この発明は、継手ユニットおよびこの継手ユニットを用いた収納棚に関する。
【背景技術】
【０００２】
特許文献１には、立方体状のコーナーブロックの互いに隣接する三面の夫々に短柱状の継手を突設した継手ユニットの複数個と、その末端部を継手に緊密に嵌着させ得る筒状桁材及び筒状柱材の各複数本との組合わせから成り、コーナーブロックの無継手面に、螺止により着脱自在に連結させるための、継手と略同一の外形を有する継足用ブロックを付属させる組立式架台が開示されている。
【０００３】
また、特許文献２には、６面体の各面に４角形凹部を形成し、該各凹部の内部に６面体の内部に向う雌ネジ孔を穿設して本体ブロックを形成し、上記４角形凹部に嵌合する４角形凸部を中空アームブロックの一端部外面に形成し、上記一端部に上記ネジ孔に符合する透孔を穿設し、一端部内面にボルト頭を回動自在に係合し、透孔を経て上記ネジ孔に螺合するボルトとよりなり、上記各面の外周の４辺の内側に間隔を介して上記一端部外周の４辺を平行に配置し、上記本体ブロック、中空アームブロック及び上記ボルトを分解組立自在に形成した角パイプジョイント部品が開示されている。
【先行技術文献】
【特許文献】
【０００４】
【特許文献１】特開平０９−１６８４４４号公報
【特許文献２】特開２００３−４９８１４号公報
【発明の概要】
【発明が解決しようとする課題】
【０００５】
しかしながら、上記特許文献１の組立式架台で用いられている継手ユニットでは、立方体形状のコーナーブロックの互いに隣接する三面の夫々に短柱状の継手が固定されているため、角パイプ材の断面形状が異なれば、その形状に合った専用の継手ユニットが別途必要になるという欠点がある。
【０００６】
また、上記特許文献２の角パイプジョイント部品では、上記本体ブロックに上記中空アームブロックを着脱できるものの、上記本体ブロックと上記中空アームブロックの取り付けの態様が一定になってしまうため、角パイプ材の断面形状が異なれば、その形状に合った専用の上記本体ブロックおよび上記中空アームブロックの組み合わせが別途必要になる欠点がある。
【０００７】
この発明は、上記の事情に鑑み、筒部材の断面形状が異なっても少なくとも本体ブロックを共通にすることができる継手ユニットおよび収納棚を提供することを課題とする。
【課題を解決するための手段】
【０００８】
この発明の継手ユニットは、上記の課題を解決するために、筒部材を支持する継手ブロックと、この継手ブロックが固定される複数の装着面を有する本体ブロックとを備えており、上記本体ブロックの少なくとも1つの装着面には、上記継手ブロックを固定する固定部材のための固定用穴が複数形成されており、上記固定用穴が複数形成された装着面に１つの継手ブロックを装着することと複数の継手ブロックまたは複数の継手ブロックに相当する１つの一体型継手ブロックを装着することとが選択的に行えるようにしたことを特徴とする。
【０００９】
上記の構成であれば、上記固定用穴が複数形成された装着面に１つの継手ブロックを装着することと複数の継手ブロックを装着することとが選択的に行えるので、筒部材の断面形状が異なっても継手ブロックおよび本体ブロックを共通にすることができる。また、１つの継手ブロックを装着することと複数の継手ブロックに相当する１つの一体型継手ブロックを装着することとが選択的に行えるようにすると、少なくとも本体ブロックを共通にすることができる。
【００１０】
上記本体ブロックは、上記継手ブロックを２個装着できるように上記固定用穴が２箇所に形成された長方形状の大装着面と、上記大装着面の略半分の大きさを有する略正方形状の小装着面とからなる直方体形状を有してもよい（当該構成をこの項において第１の継手ユニットという。）。
【００１１】
また、この発明の収納棚は、高さ方向、幅方向および奥行き方向に配置される複数の筒部材と、これら筒部材を連結する上記第１の継手ユニットとを備えた収納棚であって、上記本体ブロックは上記長方形状の大装着面の長手方向を奥行き方向に向けて配置されており、前面側で幅方向に離間して配置された対をなす継手ユニットの本体ブロックの互いに向き合う大装着面には、奥側にそれぞれ１個の継手ブロックが設けられて前面側に凹空間が形成されることを特徴とする。
【００１２】
上記の構成であれば、上記前面側に形成された上記凹空間に例えば板部材を出っ張りが生じないように設けることができる。
【００１３】
また、この発明の収納棚は、高さ方向と幅方向と奥行き方向とに配置される複数の筒部材と、これら筒部材を連結する上記第１の継手ユニットとを備えた収納棚であって、上記本体ブロックは上記長方形状の大装着面の長手方向を奥行き方向に向けて配置されており、奥側で幅方向に離間して配置された対をなす継手ユニットの本体ブロックの互いに向き合う大装着面には、前面側にそれぞれ１個の継手ブロックが設けられて奥側に凹空間が形成されることを特徴とする。
【００１４】
上記の構成であれば、上記奥側に形成された上記凹空間に例えば電気配線を設けることができる。
【００１５】
また、この発明の継手ユニットにおいて、上記本体ブロックは、上記継手ブロックを縦横に２個ずつ合計４個装着できるように上記固定用穴が４個形成された略正方形状の大装着面と、上記大装着面の略半分の大きさを有する長方形状の小装着面とからなる直方体形状を有していてもよい（当該構成をこの項において第２の継手ユニットという。）。
【００１６】
また、この発明の収納棚は、高さ方向、幅方向および奥行き方向に配置される複数の筒部材と、これら筒部材を連結する第２の継手ユニットとを備えた収納棚であって、上記本体ブロックは上記略正方形状の大装着面を幅方向に向けて配置されており、奥側で幅方向に離間して配置された対をなす継手ユニットの本体ブロックの互いに向き合う略正方形状の大装着面にそれぞれ３個の継手ブロックがＬ字状に配置されるか、或いは３個分の継手ブロックに相当するＬ字状の１つの一体型継手ブロックが配置され、断面Ｌ字状の筒部材が設けられることを特徴とする。
【００１７】
上記断面Ｌ字状の筒部材で奥側の凹空間が隠されるようにすると、上記凹空間に例えば電気配線を隠蔽状態に設けることができる。
【００１８】
或いは、上記断面Ｌ字状の筒部材で前面側に上方に突出する部位が形成されるようにすると、上記上方に突出する部位をフックなどの引っ掛け部として用いることができる。
【発明の効果】
【００１９】
本発明であれば、筒部材の断面形状が異なっても少なくとも本体ブロックを共通にすることができる等の効果を奏する。
【図面の簡単な説明】
【００２０】
【図１】本発明の実施形態を示す図であって、同図（Ａ）は、継手ユニットと角パイプ材との組み付けを説明する部分組み立て斜視図であり、同図（Ｂ）は、継手ユニットの組み立て斜視図である。
【図２】同図（Ａ）は図１の継手ユニットの継手ブロックを拡大して示した斜視図であり、同図（Ｂ）は、本体ブロックを拡大して示した斜視図である。
【図３】同図（Ａ）、同図（Ｂ）、同図（Ｃ）はそれぞれ図１に示した継手ユニットの他の組み合せパターンを示した斜視図である。
【図４】本発明の実施形態の収納棚の骨組みを示した斜視図である。
【図５】図４の収納棚にインナーボックスを取り付ける動作手順を示した説明図である。
【図６】本発明の他の実施形態の収納棚の骨組みを示した斜視図である。
【図７】本発明の他の実施形態を示す図であって、２個の継手ブロックに相当する１つの一体型継手ブロックを備える例を示した説明図である。
【図８】本発明の他の実施形態を示す図であって、同図（Ａ）は本体ブロックに対する継手ブロックの装着例を示した説明図であり、同図（Ｂ）は断面形状がＬ字形状である角パイプ材が用いられることで形成される空間に電気配線を行えることを示した説明図である。
【図９】本発明の他の実施形態を示す図であって、同図（Ａ）は本体ブロックに対する継手ブロックの装着例を示した説明図であり、同図（Ｂ）は断面形状がＬ字形状である角パイプ材が用いられることで形成される突起状に部分にフックが掛けられることを示した説明図である。
【図１０】断面形状がＬ字形状である角パイプ材の使用例を示しており、同図（Ａ）は背面板等の装着を示した説明図であり、同図（Ｂ）は棚板の装着を示した説明図である。
【図１１】本発明の他の実施形態を示す図であって、回り止めの構造を有する継手ユニットの一部を示した斜視図である。
【図１２】同図（Ａ）、同図（Ｂ）は本発明の他の実施形態を示す図であって、それぞれ切欠きを有する角パイプ材の一部を示した斜視図である。
【発明を実施するための形態】
【００２１】
図１（Ａ）、図１（Ｂ）、図２（Ａ）および図２（Ｂ）に示すように、この実施形態の継手ユニット１は、角パイプ材（筒部材）２に嵌合してこれを支持する継手ブロック１１と、上記継手ブロック１１が装着される装着面１２０、１２１を有する本体ブロック１２とを備えている。
【００２２】
上記継手ブロック１１は、略立方体形状を有しており、１の面に上記継手ブロック１１を固定するための螺子（固定部材）３の頭部が収容される穴部１１ａが形成されており、この穴部１１ａが形成される１の面と背向する他の１の面には、上記穴部１１ａよりも小径の挿通孔が上記穴部１１ａに貫通して形成されている。また、他の４面には上記角パイプ材２を固定するためのビス４を螺合できる螺子穴１１ｂが形成されている。
【００２３】
上記角パイプ材２としては、断面形状が長方形のものと、断面形状が略正方形のものとを用いることができる。また、断面形状が長方形状である上記角パイプ材２の１組の対向する広幅面の端部には、上記ビス４が挿通される挿通穴２ａがそれぞれ２箇所形成されている。また、断面形状が正方形状である上記角パイプ材２の対向する１組の面の端部には、上記ビス４が挿通される挿通穴２ａがそれぞれ１箇所形成されている。
【００２４】
上記本体ブロック１２は、直方体形状をなしており、４つの長方形状の大装着面１２０と、面積が上記大装着面１２０の略半分である２つの略正方形状の小装着面１２１とを有する。
【００２５】
上記略正方形状の小装着面１２１の中央部には、上記継手ブロック１１を固定するための螺子３が挿入される固定用穴１２ａが１箇所形成されている。一方、上記長方形状の大装着面１２０には、上記継手ブロック１１を固定するための螺子３が挿入される固定用穴１２ａが長手方向に２箇所形成されており、例えば、図３（Ａ）に示すように、当該大装着面１２０に１つの継手ブロック１１を装着することと、２個の継手ブロック１１を装着することとが選択的に行えるようになっている。なお、上記継手ブロック１１の組みパターンとしては、図３（Ｂ）および図３（Ｃ）に示すパターンの他、様々なパターンがある。
【００２６】
上記大装着面１２０に２個の継手ブロック１１が装着されたときの、上記ビス４が螺合される螺子穴の間隔は、上記断面形状が長方形状である上記角パイプ材２の広幅面の端部に形成された挿通穴の間隔に合致する。上記大装着面１２０に１個の継手ブロック１１が装着されたときには、この１個の継手ブロック１１には、断面形状が正方形状である上記角パイプ材２が嵌入される。
【００２７】
図４は、この実施形態の収納棚１００の骨組みを示した斜視図であり、この収納棚１００は、上記複数の角パイプ材２を高さ方向と幅方向と奥行き方向とに配置し、これら角パイプ材２を上記継手ユニット１によって連結してなる。なお、図４中において、断面形状が正方形状で横配置された角パイプ材２については、そのうちの幾つかに符号２Ａを付記している。
【００２８】
上記継手ユニット１の本体ブロック１２は、上記長方形状の大装着面１２０の長手方向を収納棚１００の奥行き方向に向けて配置されている。そして、収納棚１００の前面側で幅方向に離間して配置された対をなす継手ユニット１（横配置の１本の角パイプ材２の左右端を支持する継手ユニット１）の本体ブロック１２の互いに向き合う大装着面１２０には、奥側にそれぞれ１個の継手ブロックが設けられることで（図３（Ａ）参照）、前面側に凹空間が形成されており、この前面側の凹空間にハーフミラー１０が組み込まれる。このハーフミラー１０の裏面上縁側と裏面下縁側には、図示しないフック部が設けられている。一方、上記凹空間に位置する横配置の角パイプ材２Ａには、フック受け２１が取り付けられている。上記フック部を上記フック受け２１に引っ掛けることで、上記ハーフミラー１０が上記角パイプ材２Ａに支持される。上記ハーフミラー１０の奥側に位置する収容空間には、例えば、フラット型のディスプレイ５をセットすることができる。
【００２９】
また、上記収納棚１００において、奥側で幅方向に離間して配置された対をなす継手ユニット１の本体ブロック１２の互いに向き合う大装着面１２０には、前面側にそれぞれ１個の継手ブロックが設けられており（図３（Ｃ）参照）、奥側に凹空間が形成される。この奥側に形成された上記凹空間には、例えば、電気配線を通すことができる。
【００３０】
図５に示すように、上記収納棚１００には、インナーボックス６を適宜設けることができる。上記インナーボックス６の上板部には、例えば、プッシュラッチ６ａが組み込まれており、上記インナーボックス６を上記収納棚１００に組み込んだ後、上記プッシュラッチ６ａの爪部を突出させると、この爪部が上側の横配置されている角パイプ材２の奥面側に位置し、上記インナーボックス６が固定される。
【００３１】
また、図６に示すように、上記角パイプ材２および上記継手ユニット１を用い、上記収納棚１００とは異なる態様の収納棚１００Ａを組み立てることもできる。
【００３２】
上記の構成であれば、上記固定用穴１２ａが２箇所形成された大装着面１２０に、１つの継手ブロック１１を装着することと２個の継手ブロック１１を装着することとが選択的に行えるので、上記角パイプ材２の断面形状が異なっても上記継手ブロック１１および本体ブロック１２を共通化することができる。なお、図７に示すように、上記固定用穴１２ａが２箇所形成された大装着面１２０に、２個の継手ブロックに相当する１つの一体型継手ブロック１１Ａを装着してもよく、この場合には、少なくとも本体ブロック１２の共通化が図れる。また、後述する回り止めの構造を備える場合には、上記一体型継手ブロック１１Ａを１本の螺子３で本体ブロック１２に固定することも可能である。
【００３３】
また、上記収納棚１００（１００Ａ）であれば、上記前面側に形成された上記凹空間にハーフミラー１０などの板部材を出っ張りが生じないように設けることができる。また、上記奥側に凹空間を利用して電気配線等を配置することができる。
【００３４】
図８（Ａ）および図８（Ｂ）に示すように、他の実施形態の継手ユニット１（以下、第２の継手ユニット１という。）において、本体ブロック１２は、上記継手ブロック１１を縦横に２個ずつ合計４個並べて装着できるように上記固定用穴１２ａが４個形成された略正方形状の大装着面１２０と、面積が上記大装着面１２０の略半分である長方形状の小装着面１２１とからなる直方体形状を有していてもよい。なお、上記小装着面１２１には、断面長方形状の角パイプ材２用に、２個の固定用穴１２ａが設けられるが、そのうちの１個の固定用穴１２ａを用いて断面が略正方形状の角パイプ材２を取り付けることもできる。
【００３５】
上記第２の継手ユニット１を用いる収納棚では、この第２の継手ユニット１を、その本体ブロック１２が略正方形状の大装着面１２０を幅方向（左右方向）に向くように配置し、奥側で幅方向に離間して配置された対をなす上記第２の継手ユニット１の本体ブロック１２の互いに向き合う略正方形状の大装着面１２０にそれぞれ３個の継手ブロック１１をＬ字状に配置することができる。そして、上記３個の継手ブロック１１を用いて、断面Ｌ字状の角パイプ材２を取り付けることができる。
【００３６】
上記３個の継手ブロック１１のうち２個の継手ブロック１１を前面側で高さ方向に並べて配置し、１個の継手ブロック１１を奥側の上側位置に配置すると、奥側の凹空間を上記断面Ｌ字状の角パイプ材で隠すことができる。これによれば、上記凹空間に例えば電気配線７を隠蔽状態に設けることができる。
【００３７】
或いは、図９（Ａ）および図９（Ｂ）に示すように、上記第２の継手ユニット１を用い、上記３個の継手ブロック１１のうち２個の継手ブロック１１を前面側で高さ方向に並べて配置し、１個の継手ブロック１１を奥側の下側位置に配置すると、前面側で上方に突出する部位を形成するように上記断面Ｌ字状の角パイプ材２を配置することができる。これによれば、上記上方に突出する部位をフック８などの引っ掛け部として利用することができる。
【００３８】
また、図１０（Ａ）に示すように、上記の断面Ｌ字状の角パイプ材２の棚奥側での配置において、上下の角パイプ材２の凹箇所を棚手前側で互いに向き合う配置とし、これら上下の角パイプ材２間に、上記凹箇所を利用して板部材９１を嵌め込み装着する形態を採用してもよい。また、上記板部材９１と背板９２との間に空間部を形成し、この空間部を配線空間等として利用するようにしてもよい。また、図１０（Ｂ）に示すように、棚の手前側と奥側の角パイプ材２の凹箇所を上側で互いに向き合う配置とし、これら２本の角パイプ材２上に、上記凹箇所を利用して棚板９３を嵌め込み装着するようにしてもよい。もちろん、このような凹箇所を利用しない形態で上記板部材９１や棚板９３を装着してもよい。
【００３９】
なお、上記３個の継手ブロック１１に代えて、３個分の継手ブロックに相当するＬ字状の１つの一体型継手ブロックを設けるようにしてもよい。
【００４０】
図１１に示すように、上記継手ブロック１１には、上記螺子３の頭部が収容される穴部１１ａが形成される面とは反対側の面に、ピン形状の回り止め凸部１１ｃを設ける一方、本体ブロック１２の装着面１２０、１２１には、上記回り止め凸部１１ｃが嵌まる回り止め凹部１２ｂを形成してもよい。また、各継手ブロック１１について４個の回り止め凸部１１ｃを設け、上記本体ブロック１２についても上記４個の回り止め凸部１１ｃに対応する個数の回り止め凹部１２ｂを形成してもよい。また、上記回り止め凸部１１ｃと上記回り止め凹部１２ｂの凹凸関係は逆でもよい。もちろん、上記継手ブロック１１の回り止めの構造は、このような構造に限られない。
【００４１】
図１２（Ａ）および図１２（Ｂ）に示すように、角パイプ材２の端部に切欠き２２を形成してもよい。上記切欠き２２は、上記継手ブロック１１に干渉しないように形成されており、断面形状が長方形状である角パイプ材２においては、図１２（Ａ）に示したように、広幅領域に形成されるか、或いは図１２（Ｂ）に示したように、狭幅領域に形成される。このような切欠き２２を有する角パイプ材２については、上記継手ブロック１１に上から被せる或いは前側から押し込むようにして当該継手ブロック１１に嵌めることができ、上記継手ブロック１１を外す必要がないことから、作業効率を向上できる。
【００４２】
また、以上の例では、ビス４によって角パイプ材２を継手ブロック１１に留め付けるようにしたが、上記ビス４に代えて圧入部材を圧入することで、角パイプ材２を継手ブロック１１に留め付けるようにしてもよい。
【００４３】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４４】
１      継手ユニット
１１    継手ブロック
１１ａ  穴部
１１ｂ  螺子穴
１１ｃ  回り止め凸部
１１Ａ  一体型継手ブロック
１２    本体ブロック
１２０  大装着面
１２１  小装着面
１２ａ  固定用穴
１２ｂ  回り止め凹部
２、２Ａ      角パイプ材
２１    フック受け部
２２    切欠き
３      螺子
４      ビス
【図１】
2016205407.tif 000003
【図２】
2016205407.tif 000004
【図３】
2016205407.tif 000005
【図４】
2016205407.tif 000006
【図５】
2016205407.tif 000007
【図６】
2016205407.tif 000008
【図７】
2016205407.tif 000009
【図８】
2016205407.tif 000010
【図９】
2016205407.tif 000011
【図１０】
2016205407.tif 000012
【図１１】
2016205407.tif 000013
【図１２】
2016205407.tif 000014